(57)【特許請求の範囲】
【請求項１】
レッド（Ｒ）、グリーン（Ｇ）、ブルー（Ｂ）の各色の強度の組からなる入力信号を入力した時に目標カラー出力装置にて出力される色の色彩値に最も近い色彩値の色を、再現カラー出力装置にて出力するために、前記目標カラー出力装置の入力信号（Ｒ，Ｇ，Ｂ）と出力される色の色彩値Ｍの関係が記述された目標色特性記述テーブルと、前記再現カラー出力装置の入力信号と出力される色の色彩値Ｓの関係が記述された再現色特性記述テーブルとを使用して、前記目標カラー出力装置の入力信号を、前記最も近い色彩値の色を出力する前記再現カラー出力装置用の入力信号に変換する色変換テーブルの作成方法において、
前記色彩値Ｍのうち、前記目標カラー出力装置の入力信号のある一組の（Ｒ，Ｇ，Ｂ）入力信号に対応する色彩値Ｍ１に対し、順次前記再現カラー出力装置の入力信号を発生し、該入力信号に対応する前記色彩値Ｓを順次呼び出し、前記色彩値Ｍ１と前記色彩値Ｓを比較し前記色彩値Ｍ１に最も近い前記色彩値Ｓを決定するのに色差と共に色相差を使用し、前記色差のランクを複数段階設け、最初に最下位段階の前記色差を有する前記色彩値Ｓがあるか確認し、あれば前記色相差が第一の所定範囲以内にあるものの中で前記色差最小の前記色彩値Ｓを最も近い色として決定し、ない場合は次の段階の前記色差を有する前記色彩値Ｓがあるか確認し、あれば、前記色相差が前記第一の所定範囲よりは小さい第二の所定範囲内にあるものの中で前記色差最小の前記色彩値Ｓを最も近い色として決定し、以下順次上位段階に進み同様の手順により、該最も近い色を決定し該最も近い色を発生する前記再現カラー出力装置の入力信号を最適値として前記色変換テーブルに記憶することを特徴とする色変換テーブル作成方法。
【発明の詳細な説明】
【０００１】
【発明の属する技術分野】
本発明は、カラー画像データの色変換を行う際に用いる色変換テーブルの作成方法および装置に関する。
【０００２】
【従来の技術】
デジタルカラープリンタを用いてカラーのプリントを行う際の用途として、モニタ表示画像とプリンタから出力される出力画像とのシュミレーションを行うことが知られている。すなわち、モニタで一般的に用いられているレッド（R ）、グリーン（G ）、ブルー（B ）のデジタルの色信号をデジタルプリンタでプリントすることによって、実際にモニタに表示されているイメージをデジタルカラープリンタに印刷することによりモニタ上の色を再現することができる。
【０００３】
しかしながら、通常はモニタの再現色そのものは単にプリントするだけでは得られない。すなわち、同一の色信号に対して、一般的にモニタにより得られる色とデジタルカラープリンタでプリントされる色は異なるからである。そこで、デジタルカラープリンタによるプリントで、モニタによる再現色を得たい場合は、入力された色信号を、用いる色信号をもとにモニタに表示を行った場合と同様の再現色が得られるように色変換する方法がある。上記色変換を行う方法として、色変換テーブルを参照することにより色変換を行う方法が知られている。
【０００４】
図２は、色変換テーブルを参照して色変換を行う場合の構成図を示す。１０は印刷で用いるデジタルの色信号を作成、編集するホストコンピュータ、１１は上記色信号を記憶しておく色信号記憶手段、１２は入力された色信号を変換する色変換手段、１３は上記色変換手段で用いる色変換テーブル、１４は色変換されたデータを用いてカラープリントを行うデジタルカラープリンタである。ホストコンピュータ１０で作成、編集された色信号あるいは色信号記憶手段１１に記憶されている色信号は、色変換手段１２に送られる。通常色信号はR 、G 、B の成分からなる。色変換手段１２では、上記R 、G 、B 色信号を、デジタルカラープリンタ１４でプリントしたときに印刷の色が合うようにC 、Ｍ、ＹもしくはC 、Ｍ、Ｙ、Ｋに変換する。色変換テーブル１３では、目標とするモニタの特性およびプリントに用いるデジタルプリンタの特性を考慮して求められた、入力値に対する出力値があらかじめ決められて記憶されている。上記色変換テーブルは、入力されるすべての場合に対する値が用意されていてもよいが、通常記憶容量を減らすために間引かれた値が記憶されており、色変換テーブルを参照する際に補間処理を行うようにしている。上記色変換手段１２で変換された色信号Ｃ、Ｍ、ＹもしくはＣ、Ｍ、Ｙ、Ｋをデジタルプリンタ１４でプリントすると、最初のR 、G 、B 色信号にもとづいてモニタに表示したときと同様の色が得られる。
【０００５】
つぎに、上記のような色変換テーブルを作成する方法について説明する。ここでは、色変換の入力R 、G 、B 、出力が例えばＣ、Ｍ、Ｙのように３つ成分からなる場合について説明する。図３は従来の色変換テーブル作成方法を示すブロック図である。１は目標カラー表示装置の入力色信号と出力される色の色彩値の関係が記述された目標色特性記述テーブル、２は再現カラー出力装置の入力色信号と出力される色の色彩値の関係が記述された再現色特性記述テーブルである。色彩値としては、例えばよく知られているCIE1976(L*a*b*) を用いる。上記目標色特性記述テーブル１または再現色特性記述テーブル２は、目標カラー表示装置あるいは再現カラー出力装置で出力される色を直接測色計によって測色することによって作成することができる。また、Neugebauer方程式等の理論式によって測色値を計算することによっても作成できる。３は上記目標色特性記述テーブル１に対するアドレス値を発生させるアドレス発生手段、４は上記再現色特性記述テーブル２に対するアドレス値を発生させるアドレス発生手段である。５は目標色特性記述テーブル１および再現色特性記述テーブル２からの色彩値をもとに評価を行う評価手段、６は上記評価手段５の評価結果をもとに判定を行う判定手段、７は計算された色変換テーブルデータを記憶しておく色変換テーブルデータ記憶手段である。
【０００６】
まず、アドレス発生手段３は、色変換テーブルの入力値として用いるR 、G 、B 値を順次ループさせながら発生する。目標色特性記述テーブル１は、上記アドレス発生手段３にて発生したR 、G 、B 値に対応した色彩値を評価手段５に送る。アドレス発生手段４では、アドレス発生手段３で発生したある一組のR 、G 、B 値に対して、再現色特性記述テーブル２の入力に対応したすべてのＣ、Ｍ、Ｙ値の組合せを発生させる。再現色特性記述テーブル２は、上記アドレス発生手段３にて発生したＲ、Ｇ、Ｂ値に対応した色彩値を評価手段５に送る。評価手段５では、得られた目標色特性記述テーブル１および再現色特性記述テーブル２からの色彩値を比較、評価する。評価方法としては、例えば２組の（Ｌ＊、ａ＊、ｂ＊）の各々の差の和の平方根で得られる色差ΔＥ* ａｂを計算する。判定手段６は上記評価手段５の評価値をもとに判定を行い、目標色特性記述テーブル１より得られた色彩値にもっとも近い再現色特性記述テーブル２の色彩値一組を選ぶ。判定方法としては、例えば評価手段５で求めた色差ΔＥ* ａｂの最小値を与える色彩値を選ぶ。つぎに、上記判定手段で選ばれた色彩値を与える色信号値Ｃ、Ｍ、Ｙはアドレス発生手段３で得られた色変換テーブルのR 、G 、B 値の変換後の値として、色変換テーブルデータ記憶手段７に記憶される。
【０００７】
上記操作はアドレス発生手段３で発生するR 、G 、B 値を順次ループさせながら行われる。その結果、色変換テーブルデータ記憶手段７には色変換に必要な色変換テーブルが生成される。
なお、アドレス発生手段４では、アドレス発生手段３で発生した一組のR 、G 、B 値に対して、再現色特性記述テーブル２の入力に対応したすべてのＣ、Ｍ、Ｙ値の組合せを発生させるように説明したが、同様の結果が得られれば、必ずしもすべてのＣ、Ｍ、Ｙ値の組合せを発生させなくてもよい。
【０００８】
【発明が解決しようとする課題】
上記で説明したように色変換テーブルの作成方法は色差最小で求める場合が多いため、お互いの色再現範囲が近い装置ものでは問題ないが、モニタとプリンタのように近い色が少ない場合には、判定方法によっては最適な色変換テーブルができない場合がある。そのため、出力装置によって色再現性が違うため、各出力装置において、最適な判定手段を行う必要がある。
【０００９】
例えば、モニタとデジタルカラープリンタの色再現範囲はかなり違っている。特にブルーに関しては色差が20以上あることが多い。
そこで色差最小の判定手段によって色変換テーブルを作成すると、色差は最小値をとるが、見た目にかなり違う色と認識されてしまい最適値を求めることができないという問題があった。
【００１０】
本発明は、上記の点に鑑みてなされたもので、Ｃ、Ｍ、ＹもしくはＣ、Ｍ、Ｙ、K を出力とする色変換テーブルを容易にかつ精度よく生成することを目的とする。
【００１１】
【課題を解決するための手段】
目標カラー表示装置に対応した、レッド、グリーン、ブルーの各色の強度からなる入力信号を、入力信号の組ごとに、再現カラー出力装置に対応した各色の強度の信号に変換する際に用いる色変換テーブルの作成装置において、
目標カラー出力装置の入力色信号と出力される色の色彩値の関係が記述された目標色特性記述テーブルと、再現カラー出力装置の入力色信号と出力される色の色彩値の関係が記述された再現色特性記述テーブルと、
色差と色相からなるアルゴリズムテーブルを有し、
入力信号に対する目標カラー表示装置の色彩値信号と、再現カラー出力装置の色彩値信号とから求まる色差、色相からアルゴリズムテーブルより判定方法を決定し、変換後の色信号の強度を算出して色変換テーブルを作成するようにしたものである。
【００１２】
【発明実施の形態】
以下に本発明の一実施例を図面に基づいて説明する。
図１は本発明の色変換テーブル作成方法を示すブロック図である。１は目標色特性記述テーブル、２は再現色特性記述テーブル、３は上記目標色特性記述テーブル１に対するアドレス値を発生させるアドレス発生手段、４は上記再現色特性記述テーブル２に対するアドレス値を発生させるアドレス発生手段、５は評価手段、６は判定手段、７は色変換テーブルデータ記憶手段であり、図１とほぼ同様である。８はアルゴリズムテーブルであり評価判定を行う。
【００１３】
図１において、アドレス発生手段３で発生したR 、G 、B 値に対し、目標色特性記述テーブル１は、上記Ｃ、Ｍ、Ｙ値に対応した色彩値を評価手段に送る。また、アドレス発生手段３で発生した一組のR 、G 、B 値に対して、アドレス発生手段４では再現色特性記述テーブル２の入力に対応したすべてのＣ、Ｍ、Ｙ値の組合せを発生させる。
【００１４】
再現色特性記述テーブル２は、上記アドレス発生手段４にて発生したＣ、Ｍ、Ｙ値を評価手段に送り、評価手段５で、図１と同様に比較評価する。そして、色差と色相差データをアルゴリズムテーブル8 に送り、判定方法を決定する。さらに判定手段６は上記評価手段の評価値をもとに判定を行い、図１と同様再現色特性記述テーブル２の色彩値を一組を選ぶ。そして図示しない制御手段は色変換テーブルデータ記憶手段に記憶させる。
【００１５】
制御手段は上記操作をアドレス発生手段３で発生するR 、G 、B 値を順次ループさせながら行う。その結果、色変換テーブルデータ記憶手段には色変換に必要な色変換テーブルが生成される。
つぎにアルゴリズムテーブル8 におけるアルゴリズム決定方法について説明する。決定方法は色差、色相差を評価することに帰着する。まず目標カラー表示装置に対応した色相を計算し、その時の色差と色相差の関係からアルゴリズムを決定する。
【００１６】
色相はａ* の＋方向を０度として左回りに３６０度をとる。
アルゴリズムは色差が小さい場合は広い色相の範囲から最適値を選び色差が大きい場合は、狭い色相の範囲から最適値を選ぶ方法をとる。
例えば、目標色が色相0 度以上60度未満の中にある場合、
最小色差0 以上10未満の場合は、色相差20度未満にあるものの中で、色差最小のものを最適値として決定し、
最小色差10以上20未満の場合は、色相差が10未満にあるものの中で、色差最小のものを最適値として決定し、
最小色差30以上の場合は、色相差5 度未満にあるものの中で、色差最小のものを最適値として判定する。
【００１７】
この決定方法を図４を用い説明する。図４は色相と色差の関係図である。
図４で、例えばａ3 の目標色に対して最小色差ΔＥが１０以上２０未満の場合、ａ1 の点は色差はａ2 より小さいが、ａ2 の方が色相差１０度未満の範囲にあるので、この場合ａ1 よりは、ａ2 を選び、ａ2 に対応する色彩値を有する（Ｃ、Ｍ、Ｙ）値を最適値として決定し、色変換テーブルデータとして記憶する。
【００１８】
上記目標色の色相、最小色差の範囲、色相差範囲の具体的数値は目標カラー装置、あるいは再現カラー出力装置の性能により変化する。
以上のように、色相、色差によって最適な色テーブルを算出すための方法を決定し、以下、上記手順によって色変換テーブルを作成する。
【００１９】
【発明の効果】
以上説明したように、本発明によれば、目標カラー表示装置と再現カラー出力装置の色再現を行う場合においても、色変換テーブルを容易にかつ精度よく生成することが可能になった。
【図面の簡単な説明】
【図１】本発明の色変換テーブル作成方法を示すブロック図である。
【図２】色変換テーブルを参照して色変換を行う場合の構成図である。
【図３】従来の色変換テーブル作成方法を示すブロック図である。
【図４】最適値決定のアルゴリズムを説明するための図である。
【符号の説明】
１  目標色特性記述テーブル
２  再現色特性記述テーブル
３  アドレス発生手段
４  アドレス発生手段
５  評価手段
６  判定手段
７  色変換テーブルデータ記憶手段
８  アルゴリズムテーブル
１０  ホストコンピュータ
１１  色信号記憶手段
１２  色変換手段
１３  色変換テーブル
１４  デジタルカラープリンタ
【図１】
0004060949.tif 000002
【図２】
0004060949.tif 000003
【図３】
0004060949.tif 000004
【図４】
0004060949.tif 000005